(57)【特許請求の範囲】
【請求項１】
一側面を開口させて箱枠状の表示器本体を形成し、前記開口に透光性の拡散板を被着し、また、前記表示器本体内の他側面に発光色の異なる複数の発光体群を配置すると共にこれら発光体群を他側面から突出する遮蔽部材により区画してなり、前記遮蔽部材の頂部は前記拡散板から離れ前記各発光体群の間では該各発光体群の光が干渉し前記拡散板面に該各発光体群の発光色及び該各発光体群と異なる発光色が連続して照らし出される位置に設けられていることを特徴とするパチンコ機の電飾用表示器。
【請求項２】
一側面を開口させて箱枠状の表示器本体を形成し、前記開口に透光性の拡散板を被着し、また、前記表示器本体内の他側面に赤、緑、青色にそれぞれ発光する三個の発光体群をこの順で３列に並べて配置すると共にこれら発光体群を他側面から突出する遮蔽部材により区画してなり、前記遮蔽部材の頂部は前記拡散板から離れ前記各発光体群の間では該各発光体群の光が干渉し前記拡散板面に該各発光体群の発光色及び該各発光体群と異なる発光色が連続して照らし出される位置に設けられていることを特徴とするパチンコ機の電飾用表示器。
【請求項３】
前記開口は正面扇形状に形成されると共に三個の前記発光体群及び前記遮蔽部材が前記開口と同心円をなす円弧状に配置されている請求項２記載のパチンコ機の電飾用表示器。
【請求項４】
一側面が開口する窪み部を複数個配設して箱枠状の表示器本体を形成し、前記各開口に透光性の拡散板を被着し、また、前記各窪み部内の他側面に発光色の異なる発光体をそれぞれ一個づつ配置すると共にこれら発光体を他側面から突出する遮蔽部材により区画してなり、前記遮蔽部材の頂部は前記拡散板から離れ前記各発光体の間では該各発光体の光が干渉し前記拡散板面に該各発光体の発光色及び該各発光体と異なる発光色が連続して照らし出される位置に設けられていることを特徴とするパチンコ機の電飾用表示器。
【請求項５】
一側面が開口する窪み部を所定の位置に複数個配設して箱枠状の表示器本体を形成し、前記各開口に透光性の拡散板を被着し、また、前記各窪み部内の他側面に発光色の異なる複数の発光体群を配置すると共にこれら発光体群を他側面から突出する遮蔽部材により区画してなり、前記遮蔽部材の頂部は前記拡散板から離れ前記各発光体群の間では該各発光体群の光が干渉し前記拡散板面に該各発光体群の発光色及び該各発光体群と異なる発光色が連続して照らし出される位置に設けられていることを特徴とするパチンコ機の可変表示器。
【請求項６】
一側面が開口する窪み部を所定の位置に複数個配設して箱枠状の表示器本体を形成し、前記各開口に透光性の拡散板を被着し、また、前記各窪み部内の他側面に発光色の異なる発光体をそれぞれ一個づつ配置すると共にこれら発光体を他側面から突出する遮蔽部材により区画してなり、前記遮蔽部材の頂部は前記拡散板から離れ前記各発光体の間では該各発光体の光が干渉し前記拡散板面に該各発光体の発光色及び該各発光体と異なる発光色が連続して照らし出される位置に設けられていることを特徴とするパチンコ機の可変表示器。
【発明の詳細な説明】
【０００１】
【発明の属する技術分野】
本発明は、遊技盤を含めパチンコ機の前面に装着され、電飾効果を発揮させるための電飾用表示器及び文字、記号、図形などが変動しかつ停止後に所定の組合わせに揃った場合遊技者に有利な所謂大当たり状態となる可変表示器であって、発光色の異なる複数の発光体群を配置すると共にこれら異なる色の光を掛け合わせ多くの異なる色を連続して照らし出すようにして遊技の興趣を高めるようにしたパチンコ機の電飾用表示器及び可変表示器に関するものである。
【０００２】
【従来の技術】
従来、例えば遊技盤面には、この盤面に敷設されるガイドレールの内側や外側にＬＥＤなどの発光体を内装したレール飾りやランプ飾りなどの電飾用表示器が装着されており、遊技者が一度に多くの入賞球を得られる所謂大当たり状態になったときなどに、遊技の興趣を高めるべく効果音と共に前記発光体を点灯又は点滅させるようにしている。
【０００３】
【発明が解決しようとする課題】
しかしながら、前記電飾用表示器では、複数の発光体を点灯させたり点滅させたりしているが、色の種類の少ない各発光体をそれぞれ別個に点灯又は点滅しているのみであって、色調の変化に乏しくその動作も単調となり、これらはマンネリ化して遊技の興趣を盛り上げるに十分ではないといった課題があった。そこで、雰囲気の盛り上がりを図るため一度に多くの異なる色を発光できるようにする、例えば、各発光色に対応させて赤、緑、青色の一組のＬＥＤを配置することが考えられるが、このためにはその分多くの発光体を用意する必要があるばかりでなく、その構造が複雑化して成形が面倒になり製作コストも高く付くといった課題があった。
そこで、本発明は上記課題を解決すべくなされたもので、発光色の異なる二または三種類の発光体群を使用してこれにより多くの発光色を一度に連続して発光できるようにし遊技の興趣を増大すると共に構造が簡単であって成形も容易になるばかりか製作コストも低廉になし得るパチンコ機の電飾用表示器を提供することを目的とするものである。
【０００４】
【課題を解決するための手段】
かかる目的を達成するため、本発明に係るパチンコ機の電飾用表示器は、一側面を開口させて箱枠状の表示器本体を形成し、前記開口に透光性の拡散板を被着し、また、該表示器本体内の他側面に発光色の異なる複数の発光体群を配置すると共にこれら発光体群を他側面から突出する遮蔽部材により区画してなり、前記遮蔽部材の頂部は前記拡散板から離れ前記各発光体群の間では該各発光体群の光が干渉し前記拡散板面に該各発光体群の発光色及び該各発光体群と異なる発光色が連続して照らし出される位置に設けられている構成とする。このように遮蔽部材の頂部が前記拡散板から離れた位置に設けられていることから、前記拡散板には他の発光体群の光の影響を余り受けない部分に各発光体群の発光色がそのまま照らし出され、またその間では前記遮蔽部材の頂部から隣り合う発光体群の光が互いに干渉して各発光体群とは異なり、しかもいずれかの発光体群に近ずくにつれその側の光の影響を強く受ける発光色が照らし出される。これにより、全体には多くの異なる発光色が連続して照らし出されることとなり、斬新であって面白みが増し遊技の興趣を高めることができ、遊技者へのサービス向上にも繋がる。
【０００５】
更には、これら各発光体群を点滅させるなどすれば、非常に斬新な光模様が照らし出され遊技の興趣を一段と高めることができる。また、照らし出された発光色の分だけ発光体を必要としないので、構造が簡単となり成形も容易になるばかりか製作コストも低廉になし得る。
【０００６】
具体的には、例えば一側面を開口させて箱枠状の表示器本体を形成し、前記開口に透光性の拡散板を被着し、また、前記表示器本体内の他側面に赤、緑、青色にそれぞれ発光する三個の発光体群をこの順で３列に並べて配置すると共にこれら発光体群を他側面から突出する遮蔽部材により区画してなり、前記遮蔽部材の頂部は前記拡散板から離れ前記各発光体群の間では該各発光体群の光が干渉し前記拡散板面に該各発光体群の発光色及び該各発光体群と異なる発光色が連続して照らし出される位置に設けられている構成とする。発光体群としてはＬＥＤが好ましい。
【０００７】
この際、開口は正面扇形状に形成されると共に赤、緑、青色にそれぞれ発光する三個の発光体群及び遮蔽部材が前記開口と同心円をなす円弧状に配置されるようにすれば、恰も虹を照らし出したように見られ、これにより遊技者に驚きと心の高まりを与え、大いに遊技を盛り上がらせることができる。
【０００８】
また、前記パチンコ機の電飾用表示器にあっては、一側面が開口する窪み部を複数個配設して箱枠状の表示器本体を形成し、前記各開口に透光性の拡散板を被着し、また、前記各窪み部内の他側面に発光色の異なる発光体をそれぞれ一個づつ配置すると共にこれら発光体を他側面から突出する遮蔽部材により区画してなり、前記遮蔽部材の頂部は前記拡散板から離れ前記各発光体の間では該各発光体の光が干渉し前記拡散板面に該各発光体の発光色及び該各発光体と異なる発光色が連続して照らし出される位置に設けられている構成としても良い。
【０００９】
可変表示器にあっては、一側面が開口する窪み部を所定の位置に複数個配設して箱枠状の表示器本体を形成し、前記各開口に透光性の拡散板を被着し、また、前記各窪み部内の他側面に発光色の異なる複数の発光体群を配置すると共にこれら発光体群を他側面から突出する遮蔽部材により区画してなり、前記遮蔽部材の頂部は前記拡散板から離れ前記各発光体群の間では該各発光体群の光が干渉し前記拡散板面に該各発光体群の発光色及び該各発光体群と異なる発光色が連続して照らし出される位置に設けられている構成とする。
【００１０】
また、一側面が開口する窪み部を所定の位置に複数個配設して箱枠状の表示器本体を形成し、前記各開口に透光性の拡散板を被着し、また、前記各窪み部内の他側面に発光色の異なる発光体をそれぞれ一個づつ配置すると共にこれら発光体を他側面から突出する遮蔽部材により区画してなり、前記遮蔽部材の頂部は前記拡散板から離れ前記各発光体の間では該各発光体の光が干渉し前記拡散板面に該各発光体の発光色及び該各発光体と異なる発光色が連続して照らし出される位置に設けられている構成としても良い。
【００１１】
【発明の実施の形態】
以下、本発明に係るパチンコ機の電飾用表示器の実施の形態を図面と共に説明する。図１は電飾用表示器の斜視図、図２は同分解斜視図、図３は正面図、図４は同側面断面図、図５は本発明が適用されるパチンコ機の正面図をそれぞれ示す。まず、パチンコ機について説明するが、該パチンコ機は「大当たり」という遊技者に有利な特別遊技状態になったとき、一度に多くの入賞球が得られる所謂フィーバータイプのものである。そして、本発明に係る電飾用表示器は、遊技盤面の中央上部に装着されるが、他の個所、例えば遊技盤面に敷設されるガイドレールの内側にそって装着される所謂レール飾りまたはガイドレールの外側に装着される所謂ランプ飾り、更には前面枠の前面に装着される装飾ランプといった電飾用表示器についても適用でき、またこのタイプのパチンコ機にのみ使用されるものではないこと勿論である。
【００１２】
図５において、１はパチンコ機の前面に装着される前面枠、２はその裏側に配置される遊技盤、３は前記前面枠１に開閉自在に装着され遊技盤２の前面を覆うガラス扉枠、４はガラス扉枠３の下側に位置する前板でありその前面に打球供給皿５が装着されている。前記前面枠１の前面下部には余剰球受皿６とその一側に位置して打球操作ハンドル７が装着されている。前記遊技盤２前面のガイドレール８で囲われる遊技部２ａにはその中央に３個の図柄がドットとして変動表示される表示部９ａと１個の数字が変動表示される表示部９ｂとを備えた可変表示装置９が装着され、その下方にパチンコ球が入賞することにより前記表示部９ａの各図柄を変動させるための始動入賞口１０が装着されている。さらに、その下方には前記図柄が停止してその組み合わせが特定の組み合わせ（例えば同じ図柄）になったとき、前面の開閉扉１１ａが前側に傾動して一定の条件のもとに一度に多くの入賞球を得ることができる大型入賞装置１１が装着されている。また、前記可変表示装置９の両側には通過チャッカー１２が取り付けられ、パチンコ球が通過することによりこれを検知し前記可変表示装置９の１個の表示部９ｂの数字を変動させ、該数字が特定の数字（例えば「７」）で停止したとき前記始動入賞口１０を数秒の間パチンコ球が入賞し易い状態に変換できるようになっている。そして、前記可変表示装置９の上側に本発明に係る電飾用表示器Ａが装着される。
【００１３】
次に、電飾用表示器Ａについて説明する。該電飾用表示器Ａは合成樹脂製であって、図１，図２、図４に示すように本体枠１３とその前面に配置される前面枠体１４とにより表示器本体１５が構成される。前記本体枠１３は、横長箱枠状に形成され、前面が開放した正面扇形状の窪み部１６を有する。該窪み部１６内の後壁１６ａ面には上下一対の凹溝１７ａ,１７ｂが所定の間隔離して設けられ、これらによって仕切られることにより等間隔に列設される複数の通孔群１８ａ，１８ｂ，１８ｃが三段に設けられている。各二条の凹溝１７ａ，１７ｂと三段の通孔群１８ａ，１８ｂ，１８ｃはそれぞれ前記正面扇形状の窪み部１６と同心円をなす円弧状に配置される。１９ａ，１９ｂは、前記各凹溝１７ａ，１７ｂに嵌合固定される円弧状の遮蔽部材であり、断面がほぼ三角形状になるように形成されている。ただ、これら遮蔽部材１９ａ，１９ｂはその先端部が窪み部１６の前端面には到達せず、それよりも低く設定されている。
【００１４】
前記前面枠体１４は、本体枠１３とほぼ同じ大きさをなし、前記窪み部１６とほぼ同じ形状の開口２０が開設されており、裏面には前記開口２０の外周縁にそれより一回り大きい嵌合凹部２１が形成され、該嵌合凹部２１に前記開口２０を被うようにして外部からの光があまり入らないスモーク板２２、更にはその裏側に乳白色の拡散板２３が重ねられるようにして嵌合される。２４は、前記本体枠１３の裏面に配置される配線基板であり、その前面に前記各三段の通孔群１８ａ，１８ｂ，１８ｃに対応位置して臨む三段の発光体群２５ａ，２５ｂ，２５ｃが取り付けられる。これら発光体群２５ａ，２５ｂ，２５ｃはＬＥＤであり、しかも上段の発光体群２５ａが赤色に発光し、中段の発光体群２５ｂが緑色に発光し、更に下段の発光体群２５ｃが青色に発光するようになっている。
【００１５】
そして、前記本体枠１３の前面に前面枠体１４を配置し、また裏面に配線基板２４を配置し、前記前面枠体１４の裏面であって開口２０の上下側にそれぞれ一対突設される取付ボス２６，２６ａを本体枠１３の窪み部１６の上下側に対応させて設けられた取付孔２７，２７ａに嵌入し、配線基板２４に対応させて設けた透孔２８，２８ａ及び前記取付孔２７，２７ａ後端の透孔２９を介して前記取付ボス２６，２６ａ後端の螺子孔３０，３０ａにビス３１を螺締する。これと同時に、前記前面枠体１４の裏面であって両側に突設される一対の位置決めボス３２が本体枠１３の両側に設けられた位置決め孔３３に嵌入し、また、本体枠１３裏面の両側に突設される位置決めボス３４が配線基板２４両側の位置決め孔３５に嵌入するようになっている。これにより電飾用表示器Ａが形成される。
【００１６】
本発明は上記構成よりなり、次に図３、図４に基づき作用を説明する。各発光体群２５ａ，２５ｂ，２５ｃが発光すると図３，図４に示すように前記拡散板２３には他の発光体群２５ａ，２５ｂ，２５ｃの光の影響を余り受けない部分に各発光体群２５ａ，２５ｂ，２５ｃの発光色がそのまま照らし出され、その間では前記遮蔽部材１９ａ，１９ｂの頂部から隣り合う発光体群２５ａ，２５ｂ，２５ｃの光が互いに干渉して各発光体群２５ａ，２５ｂ，２５ｃとは異なり、しかもいずれかの発光体群２５ａ，２５ｂ，２５ｃに近ずくにつれその側の光の影響を強く受ける発光色が照らし出される。これにより、全体には多くの異なる発光色が連続して照らし出されることとなる。
【００１７】
更に詳しくは、図３に示すように拡散板２３に円弧状の開口２０に沿って同じ円弧帯状に異なる色の発光色が照らし出される。すなわち、上端層と中間層と下端層はそれぞれ他の光に干渉されない赤色Ｃ（Ｒ）、緑色Ｃ（Ｇ）、青色Ｃ（Ｂ）となる。そして、上端層と中間層との間ではその上側層が赤色Ｃ（Ｒ）と緑色Ｃ（Ｇ）の互いの色が干渉ししかも赤色の影響を強く受けてだいだい色Ｃ（Ｏ）、また下側層は前記互いの色が干渉ししかも緑色の影響を強く受けて黄色Ｃ（Ｙ）となる。中間層と下端層との間ではその上側層が緑色Ｃ（Ｇ）と青色Ｃ（Ｂ）の互いの色が干渉ししかも緑色の影響を強く受けて緑青色Ｃ（ＧＢ）、また下側層は前記互いの色が干渉ししかも青色の影響を強く受けて青緑色Ｃ（ＢＧ）となる。このように各層の色が連続して照らしだされるのは、遮蔽部材１９ａ，１９ｂの頂部が前記拡散板２３から離れた位置に設けられ、その空間を介して互いの発光色が干渉し合うようになっているからである。更に全体に正面扇形状に形成されていることから、恰も虹色に表現されているように見られる。これにより遊技者に驚きと心の高まりを与え、大いに遊技を盛り上げることができ、遊技者へのサービスの向上につながる。また、前記各発光体群２５ａ，２５ｂ，２５ｃを点滅させたり、順に点灯させたりすることでより興趣に富んだ変化を与えることができる。
【００１８】
このように、各遮蔽部材１７ａ，１７ｂの高さを所定の長さにし、７色の発光色を照らし出すようにしたが、上側に位置する遮蔽部材１７ａよりも下側に位置する遮蔽部材１７ｂの方を高くしたり、逆に低くなるようにし、更には、各ＬＥＤの電流の強さを調節することにより発光色の数や幅を自在に変更することができる。
本発明にあっては、発光体群を三個用いたが、二個または三個以上であってもよく、また、開口の前面形状は扇形状に限ることもなく、自由に選択できるものである。
【００１９】
本発明に係る電飾用表示器は、表示器本体内に発光色の異なる複数の発光体群を配置したが、発光色の異なる発光体を一個づつ配置するようにしても良い。例えば、図示は省略するが、前記箱枠状の表示器本体１５と同様な表示器本体に一側面（前面）が開口する窪み部を複数個配設し、前記各窪み部の前面の開口に本発明と同様に該開口を被うように外部から光があまり入らないスモーク板、更にはその裏側に乳白色の拡散板を重ねるようにして被着する。一方、前記各窪み部内の後壁面には本実施の形態と同様に一対の凹溝が所定の間隔離して設けられ、これらによって一個の通孔がそれぞれ仕切られる。そして、断面がほぼ三角形状であってかつ先端部が前記窪み部の前端面には到達せずそれよりも低く設定される遮蔽部材を前記各凹溝に嵌合固定する。また、前記表示器の裏面に配線基板を配置すると共にその前面に取り付けられ前記各通孔に対応位置する発光体（それぞれ赤、緑、青に発光するＬＥＤ）をそれぞれ前記各通孔に臨ませるようにした構成としても良い。
【００２０】
上記構成にあっては、各窪み部内に赤、緑、青に発光するＬＥＤがそれぞれ一個づつ収納され、しかも遮蔽部材により区画されており、前記各ＬＥＤの光の強さまたは遮蔽部材の高さを調節することにより発光される色を自在に変えることができるようになっている。このような構成であっても本発明の目的・効果が十分達成できることは勿論である。
【００２１】
図６乃至図１０は本発明に係る主要部を可変表示器に応用した例を示すものであり、図６は可変表示器の斜視図、図７は同分解斜視図、図８は同一部切欠正面図、図９は同側面断面図、図１０は可変表示器が使用されるパチンコ機の正面図をそれぞれ示す。まず、パチンコ機について説明するが、該パチンコ機は本発明に係るパチンコ機と同種のものであって、「大当たり」という遊技者に有利な特別遊技状態になったとき、一度に多くの入賞球が得られる所謂フィーバータイプのものである。そして、可変表示器は、遊技盤面の中央に装着される。なお、このパチンコ機は先に説明したパチンコ機と構成がほぼ同一なので、同一部位は同一番号を附すことにより詳しい説明は省略する。
【００２２】
このパチンコ機にあっては、遊技盤２の略中央に可変表示器Ａ１が装着されている。該可変表示器Ａ１は７セグメントタイプのもので、その下方の始動入賞口１０にパチンコ球が入賞することにより可変表示器Ａ１の表示部９ｂの三桁の数字が変動し、一定時間経過後に停止したとき所定の組合わせ（例えば「７、７、７」）に揃うと、遊技者に有利な特別遊技状態となり、遊技部２ａ下部の大型入賞装置１１の開閉扉１１ａが一定の条件のもとに前側に傾動して一度に多くの入賞球を得ることができるようになっている。
【００２３】
次に、可変表示器Ａ１について説明する。この可変表示器Ａ１は合成樹脂製であって、図６乃至図９に示すように本体枠４０とその前面に配置される前面枠体４１とにより表示器本体４２が構成される。前記本体枠４０は、正面横長長方形状に形成され、正面略弧状をなす７個の窪み部４３が８の字状に配列され、しかもこれが横に３個並設されてなる。該各窪み部４３内の後壁４３ａ面には窪み部４３とほぼ同じ大きさの通孔４４が開設され、しかも図８に示すように対向する両側壁４３ｂ，４３ｂ間に窪み部４３内を三分割するように円弧状の遮蔽部材４５が設けられている。これにより、前記通孔４４も三等分され、各分割される通孔４４に後記する発光体５１ａ，５１ｂ，５１ｃが一個づつ臨むことになる。前記遮蔽部材４５は先端部断面が鋭角となる三角形状に形成されている。ただ、これら遮蔽部材４５はその先端部が窪み部４３の前端面には到達せず、それよりも低く設定されている。なお、前記窪み部４３の内、中央の窪み部４３のみ四枚の遮蔽部材４５により五分割されている。
【００２４】
前記前面枠体４１は、本体枠４０とほぼ同じ大きさをなし、前記３個の８の字状の窪み部４３をすべて含む大きさをなす横長長方形状の開口４６が開設されており、裏面には前記開口４６の外周縁にそれより一回り大きい嵌合凹部４７が形成され、該嵌合凹部４７に前記開口４６を被うようにして外部からの光があまり入らないスモーク板４８、更にはその裏側に乳白色の拡散板４９が重ねられるようにして嵌合される。この拡散板４９は前記各窪み部４３に対応する部位を除いた部分は黒塗りされている。
【００２５】
５０は前記本体枠４０の裏面に配置される配線基板であり、その前面に前記各窪み部４３の通孔４４、更に詳しくは、分割された通孔４４に対応位置してそれぞれ臨む３個の発光体５１ａ，５１ｂ，５１ｃを一組とする発光体が取り付けられる。これら発光体５１ａ，５１ｂ，５１ｃはＬＥＤであり、しかも外側の発光体５１ａが赤色に発光し、中側の発光体５１ｂが緑色に発光し、更に内側の発光体５１ｃが青色に発光するようになっている。なお、中央の窪み部４３にあっては、両外側に位置する発光体５１ａが赤色に発光し、その各内側に位置する発光体５１ｂが緑色に発光し、更に中央の発光体５１が青色にそれぞれ発光するようになっている。
【００２６】
そこで、前記本体枠４０の前面に前面枠体４１を配置し、また裏面に配線基板５０を配置し、前記前面枠体４１の裏面であって開口４６の外側上下位置にそれぞれ三対突設される取付ボス５２を本体枠４０の前面上下側にそれぞれ対応させて設けられた取付孔５３に嵌入する。そして、前記各取付孔５３に対応させて配線基板５０に設けた透孔５４及び前記各取付孔５３後端の透孔５５を介して前記各取付ボス５２後端の螺子孔５６にビス５７を螺締する。これと同時に、前記本体枠４０の裏面であって略中央の上下部に突設される一対の位置決めボス５８が配線基板５０の上下部に設けられた位置決め孔５９に嵌入し位置決めが簡単におこなえるようになっている。これにより可変表示器Ａ１が形成される。
【００２７】
次に図９に基づき作用を説明する。可変表示器Ａ１が電気的に作動すると、各窪み部４３内の発光体５１ａ，５１ｂ，５１ｃが発光し、前記拡散板４９には他の発光体５１ａ，５１ｂ，５１ｃの光の影響を余り受けない部分に各発光体５１ａ，５１ｂ，５１ｃの発光色がそのまま照らし出され、その間では前記遮蔽部材４５の頂部から隣り合う発光体５１ａ，５１ｂ，５１ｃの光が互いに干渉して各発光体５１ａ，５１ｂ，５１ｃとは異なり、しかもいずれかの発光体５１ａ，５１ｂ，５１ｃに近ずくにつれその側の光の影響を強く受ける発光色が照らし出される。これにより、各窪み部４３について異なる色の発光色が連続して照らし出されることとなる。
【００２８】
更に詳しくは、図８に示すように拡散板４９に円弧帯状の異なる色の発光色が照らし出される。すなわち、外端層と中間層と内端層はそれぞれ他の光に干渉されない赤色Ｃ（Ｒ）、緑色Ｃ（Ｇ）、青色Ｃ（Ｂ）となる。そして、外端層と中間層との間ではその外側層が赤色Ｃ（Ｒ）と緑色Ｃ（Ｇ）の互いの色が干渉ししかも赤色の影響を強く受けてだいだい色Ｃ（Ｏ）、また内側層は前記互いの色が干渉ししかも緑色の影響を強く受けて黄色Ｃ（Ｙ）となる。中間層と内端層との間ではその外側層が緑色Ｃ（Ｇ）と青色Ｃ（Ｂ）の互いの色が干渉ししかも緑色の影響を強く受けて緑青色Ｃ（ＧＢ）、また内側層は前記互いの色が干渉ししかも青色の影響を強く受けて青緑色Ｃ（ＢＧ）となる。このように各層の色が連続して照らしだされるのは、遮蔽部材４５の頂部が前記拡散板４９から離れた位置に設けられ、その空間を介して互いの発光色が干渉し合うようになっているからである。
【００２９】
そこで、各窪み部４３にあっては、各発光体５１ａ，５１ｂ，５１ｃがそれぞれ異なった色に発光し、一つの窪み部４３をとっても一定時間経過後にさまざまな発光色を照らして停止するが、この内、所定の窪み部４３が同じ配色に照らし出され３桁の同じ数字に揃うと、遊技者に特別な遊技状態になったことを知らせることとなる。このように、各窪み部４３は縞模様状にしかもバラエティーに富んだ種々の発光色で照らし出されることから、非常に斬新な光模様となって視認でき遊技者には驚きと心の高まりを与え、大いに遊技を盛り上げることができることとなり、遊技者へのサービスの向上にもつながる。また、前記各発光体５１ａ，５１ｂ，５１ｃを点滅させたり順に点灯させたりした場合は、更に興趣に富んだ変化を与えることができる。
【００３０】
前記可変表示器Ａ１にあっては、各窪み部４３にそれぞれ発光色の異なる発光体５１ａ，５１ｂ，５１ｃを一個づつ配置した構成を示したが、これに限らず同じ発光色毎に発光体５１ａ，５１ｂ，５１ｃをそれぞれ複数個配置し発光体群として使用するようにしても良い。また、可変表示器Ａ１は７セグメントタイプのものの他に、例えば１１セグメント又はドットマトリックスタイプのものであっても良い。
【００３１】
このように、各遮蔽部材４５の高さを所定の長さにし、７色の発光色を照らし出すようにしたが、外側に位置する遮蔽部材４５よりも内側に位置する遮蔽部材４５の方を高く、または逆に低くなるようにし、更には、各ＬＥＤの電流の強さを調節することにより発光色の色合い、数またはその幅を自在に変更することができる。
【００３２】
【発明の効果】
以上、説明したように本発明に係るパチンコ機の電飾用表示器及び可変表示器は、一側面の開口を透光性の拡散板で被い他側面に発光色の異なる複数の発光体又は発光体群を配置すると共にこれら発光体又は発光体群を他側面から突出する遮蔽部材により区画してなり、該遮蔽部材はその頂部が前記拡散板から離れた位置に設けるようにしたので、前記拡散板には各発光体又は発光体群の発光色と各発光体又は発光体群の発光色が干渉しあった発光色が順番にしかも連続して照らしだされることとなり、これにより非常に斬新な光模様が表され面白みが増し遊技の興趣を一段と高めることができ、遊技者へのサービスの向上につながる。また、照らし出された発光色の分だけ発光体又は発光体群を必要としないので、発光体群が少なくて済みこれにより構造が簡単となり成形も容易になるばかりか製作コストも低廉になし得る。
【００３３】
電飾表示器では、この際、開口は正面扇形状に形成されると共に赤、緑、青色にそれぞれ発光する三個の発光体群及び遮蔽部材が前記開口と同心円をなす円弧状に配置されているようにすれば、恰も虹が映し出されたように見られ、これにより遊技者に驚きと心の高まりを与え、大いに遊技を盛り上げることができ、商品価値も高くなる。
【図面の簡単な説明】
【図１】本発明に係る電飾用表示器の斜視図。
【図２】同分解斜視図。
【図３】同正面図。
【図４】同側面断面図。
【図５】本発明の電飾表示器が使用されるパチンコ機の正面図。
【図６】本発明に係る可変表示器の斜視図。
【図７】同分解斜視図。
【図８】同正面図。
【図９】同側面断面図。
【図１０】本発明の可変表示器が使用されるパチンコ機の正面図。
【符号の説明】
１５                            表示器本体
１６ａ                          他側面（後壁）
１９ａ，１９ｂ                  遮蔽部材
２０                            開口
２３                            拡散板
２５ａ，２５ｂ，２５ｃ          発光体群
４２                            表示器本体
４３ａ                          他側面（後壁）
４５                            遮蔽部材
４６                            開口
４９                            拡散板
５１ａ，５１ｂ，５１ｃ          発光体
Ａ                              電飾用表示器
Ａ１                            可変表示器
【図１】
0003889935.tif 000002
【図２】
0003889935.tif 000003
【図３】
0003889935.tif 000004
【図４】
0003889935.tif 000005
【図５】
0003889935.tif 000006
【図６】
0003889935.tif 000007
【図７】
0003889935.tif 000008
【図８】
0003889935.tif 000009
【図９】
0003889935.tif 000010
【図１０】
0003889935.tif 000011